(57)【要約】      （修正有）【課題】工業用掃除機において液体飛沫による２次フィルターへの負荷を軽減し、吸引風量の脈動を防止するとともに、液体飛沫の分離度を向上する。【解決手段】ブロワに通じる排出口１７を上部に有し、下方に位置する回収器への回収物の落下口１８を下部に有し、それらの中間位置の内周壁に開口する吸引口１９を有するサイクロン筒１６と、サイクロン筒内に上部にて取り付けられ、排出口にのみ通じる上部開口２２と、吸引口１９よりも下位に位置する下部開口２３とを有する中心筒とを具備し、上記中心筒２１の外周に取り付けられ、上記落下口へ落下し切れず浮遊する飛沫を主として捕集するために中心筒の下部開口２３とサイクロン筒の落下口１８との間に位置させた開口端２５を有する分離筒２４を具備する。【選択図】図１
0003134449.tif 000002
【実用新案登録請求の範囲】
【請求項１】
ブロワに通じる排出口を上部に有し、下方に位置する回収器への回収物の落下口を下部に有し、それらの中間位置の内周壁に開口する吸引口を有するサイクロン筒と、
サイクロン筒内に上部にて取り付けられ、前記排出口にのみ通じる上部開口と、吸引口より下位に位置する下部開口とを有する中心筒とを具備し、
上記中心筒の外周を取り囲んで中心筒を取り付けた側に取り付けられ、上記落下口へ落下し切れず浮遊する飛沫を主として捕集するために中心筒の下部開口とサイクロン筒の落下口との間に開口端を位置させた分離筒
を具備したことを特徴とする真空掃除機におけるサイクロン装置。
【請求項２】
中心筒は下方に対してテーパー状に形成されており、分離筒は下方に対して逆テーパー状に形成されている請求項１記載の真空掃除機におけるサイクロン装置。
【考案の詳細な説明】
【技術分野】
【０００１】
本考案は、真空掃除機におけるサイクロン装置の改良に関するものである。
【背景技術】
【０００２】
工業用掃除機は、吸引機本体に床用ブラシや吸引ホースなどを接続して、清掃に使用されるほか、原料粉であるとか、水や油などの回収の用途にも使用される。工業用掃除機においてサイクロンを使用する場合、その吸引風量に応じてサイクロンの構造や寸法を、経験値的に決めてきたが、外筒径が１５０ｍｍに満たない小型サイクロンでは、吸引量などの条件によって吸引風量が不安定になり脈動を生ずることがあり、特に水や油などの液体飛沫の分離効率の低下が懸念される傾向にある。そのため、いわゆる飛沫の切れが悪くなり、回収タンクに捕集されないまま流され、最終的にはバグフィルターの性能において濾過回収することになる。しかし、液体飛沫などはバグフィルターに目詰まりを引き起こす原因にもなるため、サイクロン部にて回収することが望まれる。
【０００３】
これに対して本出願人は、先に特開２００５−２１１３５０号の発明を開発した。同号の発明は、少なくとも２段のサイクロン筒を有する強力な乾湿両用のバキュームクリーナーであるが、小型サイクロンにおいて液体飛沫などを切るにはあまり適当ではなく、より細かい旋回流の制御が望まれた。
【０００４】
【特許文献１】特開２００５−２１１３５０号
【考案の開示】
【考案が解決しようとする課題】
【０００５】
本考案は前記の点に着目してなされたものであり、その課題は、真空掃除機において液体飛沫による２次フィルターへの負荷を軽減し、吸引風量の脈動を防止するとともに、液体飛沫の分離度を向上することである。また、本考案の他の課題は、乾湿両用の工業用掃除機の実用性を向上することである。
【課題を解決するための手段】
【０００６】
前記の課題を解決するため、本考案は、ブロワに通じる排出口を上部に有し、下方に位置する回収器への回収物の落下口を下部に有し、それらの中間位置の内周壁に開口する吸引口を有するサイクロン筒と、サイクロン筒内に上部にて取り付けられ、前記排出口にのみ通じる上部開口と、吸引口より下位に位置する下部開口とを有する中心筒とを具備し、上記中心筒の外周を取り囲んで中心筒を取り付けた側に取り付けられ、上記落下口へ落下し切れず浮遊する飛沫を主として捕集するために中心筒の下部開口とサイクロン筒の落下口との間に開口端を位置させた分離筒を具備するという手段を講じたものである（請求項１記載の考案）。
【０００７】
本考案の対象となる掃除機は真空掃除機であり、その中でもサイクロン式のものである。サイクロンを用いた真空吸引式の掃除機は、水や油を含む液体を吸引処理する用途に重宝するが、分離されずに流れると２次フィルターに目詰まりを起こす原因となるので、飛沫の切れを良くすることが望まれる。
【０００８】
本考案におけるサイクロン筒は、ブロワに通じる排出口を上部に有し、下方に位置する回収器への回収物の落下口を下部に有し、それらの中間位置の内周壁に開口する吸引口を有する。サイクロン筒の基本形状は、上下を開口した円筒状のもので良く、その内周壁の円周方向に吸引口を開口する。なお、このサイクロン筒及び下方の回収器を含む全体が、気密に形成されていることはいうまでもない。
【０００９】
このサイクロン筒内には、中心筒が上部にて取り付けられ、中心筒は、前記排出口にのみ通じる上部開口と、吸引口より下位に位置する下部開口とを有する。中心筒は、サイクロン筒の内周壁に開口する吸引口から真空吸引された吸引流が、上記内周壁に沿って旋回することによりエネルギーを失い落下するものと、ブロワによる吸引力に吸引されるものとに分けられる箇所に位置し、吸引力が強過ぎれば飛沫をブロワ方向へ吸引し、弱ければ掃除機としての性能自体が不足することになるものである。
【００１０】
本考案では、上記中心筒の外周を取り囲んで中心筒を取り付けた側に取り付けられ、上記落下口へ落下し切れず浮遊する飛沫を主として捕集するために中心筒の下部開口とサイクロン筒の落下口との間に開口端を位置させた分離筒を具備するという手段を講じたものである。つまり、掃除機としての性能を十分に発揮できる吸引力を備えるとともに、ブロワ方向へ吸引する位置を、中心筒の下部開口の位置よりも下げてサイクロン筒の落下口近くとし、所期の目的を達成するものである。
【００１１】
中心筒が下方に対してテーパー状に形成され、分離筒は下方に対して逆テーパー状に形成されている構成は、本考案にとって望ましいものである（請求項２記載の考案）。分離筒を下方に対して逆テーパー状に形成しているため、旋回速度のより速い外方にて吸引流を捕捉し、分離度を高めることができるからである。また、ブロワ方向への吸引位置を、中心筒の下部開口の位置よりも下げたことによって、ブロワまでの距離が遠のくことも有利である。
【考案の効果】
【００１２】
本考案は以上のように構成されかつ作用するものであるから、真空掃除機において液体飛沫による２次フィルターへの負荷を軽減し、吸引風量の脈動を防止するとともに、液体飛沫の分離度を向上することができるという効果を奏する。また、本考案によれば、乾湿両用の真空掃除機の液体飛沫分離性能が向上するので、安心して使用できる範囲が広がり、実用性を著しく向上することができる。
【考案を実施するための最良の形態】
【００１３】
以下図示の実施形態を参照しつつ本考案をより詳細に説明する。図１は、本考案に係るサイクロン装置を適用した真空掃除機１０の一例を示すもので、１１は吸引機部、１２は回収タンク部、１３はブロワ部であり、全体が、シール手段１４、１５を介して気密に接続されている。
【００１４】
サイクロン筒１６は、吸引機部１１に配置され、ブロワ部１３に通じる排出口１７を上部に有し、下方に位置する回収器である回収タンク部１２への回収物の落下口１８を下部に有し、それらの中間位置の内周壁に吸引口１９を開口した構成を有する。２０はサイクロン装置の全体を示す。例示したサイクロン筒１６は、上下を開口した円筒状のもので、その内周壁の円周方向に上記吸引口１９が開口しており、また、それから十分に下方へ離れた位置に落下口１８が位置している。
【００１５】
サイクロン筒内には、中心筒２１が上部にて取り付けられ、中心筒２１は、前記排出口１７にのみ通じる上部開口２２と、吸引口１９より下位に位置する下部開口２３とを有する。中心筒２１は、サイクロン筒１６の内周壁に開口する吸引口１９から真空吸引された吸引流が、上記内周壁に沿って旋回することによりエネルギーを失い落下するものと、ブロワによる吸引力に吸引されるものとに分けられる箇所に位置し、十分に強力な吸引力により旋回を生じている飛沫をブロワ方向へ吸引しようとする。
【００１６】
上記の中心筒２１を上端にて取り付けた箇所には、中心筒２１の外周を取り囲む分離筒２４が取り付けられている。分離筒２４は落下口１８へ落下し切れず浮遊する飛沫を捕集することができるもので、中心筒２１の下部開口２３とサイクロン筒１６の落下口１８との間のほぼ中間位置に開口端２５を位置させて設けたものである。図２に示すように、中心筒２１は下方に対してテーパー状に形成され、分離筒２４は下方に対して逆テーパー状に形成されていて、分離筒２４は、サイクロン筒１６の落下口１８と、中心筒２１の下部開口２３を結んだ円錐状の収斂曲面２６よりもやや小径に形成され、分離度を高め２次フィルター２８への負担を低減するとともに、旋回を生じている吸引流をやや絞って効果的な液切れを行なう。
【００１７】
なお、図示の例では、サイクロン筒１６のブロワ部１３に通じる排出口１７と、中心筒２１が下方へ向かって、つまり吸引流の上流へ向かってテーパー状に形成されているので分離度を高めるという効果がある。各図中、２７は吸引口に通じるノズルの接続口、２８は２次フィルター、２９は台車をそれぞれ示す。
【００１８】
本考案はこのように構成されているので、真空掃除機１０の始動により吸引口１９から回収物を含んだ流れがサイクロン装置２０に流入し、サイクロン筒１６内に旋回流を形成し、運動エネルギーを喪失したものから落下を始め、回収タンク部１２に回収される。その際、本考案においては、分離筒２４の開口端２５を設けているため、中心筒２１から下方へ離れた位置にて、また、中心筒２１におけるよりも旋回速度のより速い外方にて吸引流を捕捉することができるため分離度が著しく高められる。
【図面の簡単な説明】
【００１９】
【図１】本考案に係る真空掃除機におけるサイクロン装置の構成を説明するための断面図。
【図２】同上の装置を拡大して示す断面図。
【図３】同じく本考案を適用した真空掃除機の一例を示す側面図。
【符号の説明】
【００２０】
１０  真空掃除機
１１  吸引機部
１２  回収タンク部
１３  ブロワ部
１４、１５  シール手段
１６  サイクロン筒
１７  排出口
１８  落下口
１９  吸引口
２０  サイクロン装置
２１  中心筒
２２  上部開口
２３  下部開口
２４  分離等
２５  開口端
２６  収斂曲面
２７  ノズルの接続口
２８  ２次フィルター
２９  台車
【図１】
0003134449.tif 000003
【図２】
0003134449.tif 000004
【図３】
0003134449.tif 000005